(57)【要約】【課題】特定防火対象物の火災に対してはもとより、該特定防火対象物以外の周辺の防護区画内の火災に対しても消火活動を可能になした自動・手動切換え型消火装置とその消火方法を提供する。【解決手段】容器バルブ４を備えた消火薬剤容器２と、火災を感知する火災感知器３の作動と連動して容器バルブ４を開放させるバルブ自動起動装置５と、先端に防火対象物に向けて消火薬剤を放射する固定ノズル６を取り付け、容器バルブ４に接続された配管７と、手動起動押ボタン８の押圧作動と連動して容器バルブ４を開放させるバルブ手動起動装置９と、を備えた自動・手動切換え型消火装置において、配管７の途中に切換弁２５を介して可撓性ホース２６を分岐状に接続し、該可撓性ホース２６の先端に手元開閉弁２７を介して放射ノズル２８を取り付けてある。【選択図】　　　図１
2004041577.tif 000002
【特許請求の範囲】
【請求項１】
容器バルブを備えた消火薬剤容器と、火災を感知する火災感知器の作動と連動して前記容器バルブを開放させるバルブ自動起動装置と、先端に防火対象物に指向して消火薬剤を放射する固定ノズルを取付け、前記容器バルブに接続された配管と、手動起動押ボタンの押圧作動と連動して前記容器バルブを開放させるバルブ手動起動装置と、を備えた自動・手動切換え型消火装置において、
前記配管の途中に切換弁を介して可撓性ホースを分岐状に接続し、該可撓性ホースの先端に手元開閉弁を介して放射ノズルを取り付けてあることを特徴とする、自動・手動切換え型消火装置。
【請求項２】
前記可撓性ホースは伸縮自在なスパイル状に形成されている、請求項１記載の自動・手動切換え型消火装置。
【請求項３】
前記切換弁は消火薬剤容器からの消火薬剤の入口と、固定ノズル及び放射ノズルの方向にそれぞれ連通する二つの出口をもつ三方弁で構成されている、請求項１又は２記載の自動・手動切換え型消火装置。
【請求項４】
三方弁にリミットスイッチを取り付け、消火薬剤を放射ノズルの方向に流すよう前記三方弁を切り換えるとこれを前記リミットスイッチが検知して手動モードに自動的に切り換えられるように構成してある、請求項３記載の自動・手動切換え型消火装置。
【請求項５】
三方弁にリミットスイッチを取り付け、消火薬剤を放射ノズルの方向に流すよう前記三方弁を切り換えるとこれを前記リミットスイッチが検知して警報装置を作動させるように構成してある、請求項３又は４記載の自動・手動切換え型消火装置。
【請求項６】
火災を火災感知器で感知し、その火災感知器の作動と連動して、または手動起動押ボタンの押圧作動と連動して消火薬剤容器の容器バルブを開放させ、該容器バルブの開放により消火薬剤容器から消火薬剤が前記容器バルブに接続された配管を経由して該配管の先端側の固定ノズルより防火対象物に指向して放射する自動・手動切換え型消火方法において、
前記配管の途中に切換弁を介して分岐状に接続した可撓性ホースから消火薬剤を前記防火対象物以外の周辺の防護区画内に放射することを特徴とする、自動・手動切換え型消火方法。
【発明の詳細な説明】
【０００１】
【発明の属する技術分野】
本発明は、産業機械等を特定防火対象物とする自動・手動切換え型消火装置とその消火方法の改良に係り、より詳しくは産業機械等防火対象物の消火のほかに該防火対象物の周辺の防護区画内の消火にも使用できるようにした自動・手動切換え型消火装置と消火方法に関する。
【０００２】
【従来の技術】
従来、ＮＣ旋盤、マシニングセンター、放電加工機等の産業機械を特定防火対象物として工場などに設置される自動・手動切換え型消火装置は公知である。この消火装置は、図２、図３に示すように、格納箱１の内部に収納配置された消火薬剤容器２と、火災を感知する火災感知器３の作動と連動して消火薬剤容器２の容器バルブ４を開放させるバルブ自動起動装置５と、先端に特定防火対象物に指向して消火薬剤を放射する固定ノズル６を取付け、前記容器バルブ４の出口側に接続された配管７と、手動起動押ボタン８の押圧作動と連動して前記容器バルブ４を開放させるバルブ手動起動装置９と、を備えてなる。
【０００３】
消火薬剤容器２は泡消火薬剤、粉末消火薬剤等の消火薬剤を充てんしており、これの上端口部に容器バルブ４が取り付けられている。容器バルブ４の出口側には配管７を接続し、この配管４の先端に固定ノズル６を取り付けている。容器バルブ４には該バルブ４を開閉操作するための固定レバー１０及び可動レバー１１、及び固定・可動レバー１０，１１に取り付けたバルブ自動起動装置５等を備えている。
【０００４】
バルブ自動起動装置５は、図３に示すように、シリンダー１２、シリンダー１２内に摺動自在に組み込まれたピストン１３、ピストン１３に連結された起動軸１４、ガス発生器１５等により構成される。ガス発生器１５は、一端部がシリンダー１２に結合され、シリンダー１２内と連通するガス発生室１６を有するガス発生器本体１７と、このガス発生器本体１７の他端部に螺合された蓋１８と、この蓋１８に一体に取り付けられた爆薬１９と起爆用電熱体２０、および起爆用電熱体２０から蓋１８を貫通して外部へ導出されたリード線２１により構成されている。図２に示す火災感知器３からの動作信号が制御盤２２及びリード線２１を介して起爆用電熱体２０に印加された時、爆薬１９からガスを発生してガス発生室１６内のガス圧力が増大し、そのガス圧がピストン１３に作用して起動軸１４が図３のａ矢視方向に牽引移動され、これによって可動レバー１１が同一方向に回動し、容器バルブ４が開放して、消火薬剤容器２内の消火薬剤が配管７を経由して固定ノズル６から防火対象物に向けて放射するよう構成している。
【０００５】
一方、バルブ手動起動装置９は、図２に示すように、格納箱１の扉２３の正面に手動起動押ボタン８を制御盤２２上の手動起動押ボタンスイッチ回路に対応するよう備え、このボタン８を押すことにより制御盤２２を介して前記ガス発生器１５のリード線２１に通電し、ガス発生器１５が上記のように作動して容器バルブ４を開放するよう構成している。
【０００６】
しかるときは、火災を火災感知器３で感知し、その火災感知器３の作動と連動して、または手動起動押ボタン８の押圧作動と連動して消火薬剤容器２の容器バルブ４を開放させ、該容器バルブ４の開放により消火薬剤容器２から消火薬剤が配管７を経由して固定ノズル６より特定防火対象物に指向して放射する。
【０００７】
【発明が解決しようとする課題】
しかるに、固定ノズル６から消火薬剤を放射する上記自動・手動切換え型消火装置では、特定防火対象物の消火に限定され、その特定防火対象物の周囲や近辺の火災に対しては役立つものではなかった。
【０００８】
そこで、本発明は、上記のような特定防火対象物専用の自動・手動切換え型消火装置に改善を加えることにより特定防火対象物の火災に対してはもとより、該特定防火対象物の周囲や近辺の防護区画内の火災に対しても消火を可能になした自動・手動切換え型消火装置とその消火方法を提供することを目的とする。
【０００９】
【課題を解決するための手段】
本発明の自動・手動切換え型消火装置は、容器バルブを備えた消火薬剤容器と、火災を感知する火災感知器の作動と連動して前記容器バルブを開放させるバルブ自動起動装置と、先端に防火対象物に指向して消火薬剤を放射する固定ノズルを取付け、前記容器バルブに接続された配管と、手動起動押ボタンの押圧作動と連動して前記容器バルブを開放させるバルブ手動起動装置と、を備えた自動・手動切換え型消火装置において、前記配管の途中に切換弁を介して可撓性ホースを分岐状に接続し、該可撓性ホースの先端に手元開閉弁を介して放射ノズルを取り付けてあることに特徴を有するものである。
【００１０】
この場合において、前記可撓性ホースは伸縮自在なスパイル状に形成することができる。また、前記切換弁は消火薬剤容器からの消火薬剤の入口と、固定ノズル及び放射ノズルの方向にそれぞれ連通する二つの出口をもつ三方弁で構成することができる。三方弁にリミットスイッチを取り付け、消火薬剤を放射ノズルの方向に流すよう前記三方弁を切り換えるとこれを前記リミットスイッチが検知して手動モードに自動的に切り換えられるように構成することができる。また三方弁にリミットスイッチを取り付け、消火薬剤を放射ノズルの方向に流すよう前記三方弁を切り換えるとこれを前記リミットスイッチが検知して警報装置を作動させるように構成することもできる。
【００１１】
本発明の自動・手動切換え型消火方法は、火災を火災感知器で感知し、その火災感知器の作動と連動して、または手動起動押ボタンの押圧作動と連動して消火薬剤容器の容器バルブを開放させ、該容器バルブの開放により消火薬剤容器から消火薬剤が前記容器バルブに接続された配管を経由して該配管の先端側の固定ノズルより防火対象物に指向して放射する自動・手動切換え型消火方法において、前記配管の途中に切換弁を介して分岐状に接続した可撓性ホースから消火薬剤を前記防火対象物以外の周辺の防護区画内に放射することに特徴を有するものである。
【００１２】
【作用】
上記構成の自動・手動切換え型消火装置とその消火方法によれば、防火対象物の火災時には、従来通り、その火災を火災感知器で感知し、火災感知器の作動と連動して又は手動起動押ボタンの押圧作動と連動して消火薬剤容器の容器バルブを開放させ、該容器バルブの開放により消火薬剤が配管を経由して固定ノズルより防火対象物に放射される。
【００１３】
防火対象物の周囲や近辺で火災が発生したとき、また防火対象物の火災を火災感知器が感知しなかったときは、消火薬剤を放射ノズルの方向に流すよう切換弁を切り換え、手動起動押ボタンを押圧して容器バルブを開放させると、可撓性ホースの放射ノズル部分を持って手元開閉弁を開くことで消火活動を行うことができる。
【００１４】
その際、可撓性ホースは伸縮自在なスパイル状に形成しておくと、平常の収納時に短縮させてコンパクトに収納でき、使用時には長く伸長させることができ、また撓み自在で障害物を避けて伸長させることができて消火作業し易い。
【００１５】
【発明の実施の形態】
以下、本発明の好適な実施形態を図面に基づき説明する。図１は本発明の自動・手動切換え型消火装置の正面扉一部を破断して内部を見た正面図である。
【００１６】
格納箱１、消火薬剤容器２、バルブ自動起動装置５、先端に固定ノズル６を取り付けた配管７、およびバルブ手動起動装置９などの構造及び作用は、図２〜３に示されている従来例のものと変わらないので、同一符号を付してこれらの詳しい説明は省略する。
【００１７】
本発明は、図１に示すように、前記格納箱１より外部に導出した配管７の途中に切換弁２５を介して可撓性ホース２６を分岐状に接続し、該可撓性ホース２６の先端に手元開閉弁２７を介して放射ノズル２８を取り付けてあることに特徴を有する。
【００１８】
切換弁２５には消火薬剤容器２からの消火薬剤の入口と、固定ノズル６及び放射ノズル２８にそれぞれ連通する二つの出口をもつ三方弁が使用される。したがって、三方弁による切換弁２５は、平常時、ハンドル２９を容器バルブ４からの消火薬剤が固定ノズル６の方へ流れる角度位置に停止させているが、消火薬剤が可撓性ホース２６、放射ノズル２７の方へ流れる位置にハンドル２９を切り換えて手元開閉弁２７を開くことで消火薬剤を放射ノズル２７から放射できる。
【００１９】
可撓性ホース２６は、平常時に短縮できて格納箱１の外面に沿ってコンパクトに収納でき、使用時には長く伸長させることができ、使用後は弾性復元力により元通り短縮できるようにスパイラル状に伸縮自在に形成してある。放射ノズル２８は、平常時に格納箱１に設けたノズル受３１に納めておく。
【００２０】
防火対象物の周囲や近辺で火災が発生したとき、また防火対象物の火災を火災感知器３が感知しなかったときは、消火薬剤を放射ノズル２８の方向に流すよう切換弁２５を切り換え、手動起動押ボタン８を押圧してガス発生器１５を作動させて容器バルブ４を開放させると、可撓性ホース２６の放射ノズル２８部分を持って手元開閉弁２７を開くことで消火できる。
【００２１】
手動モードへの自動切換えは切換弁２５にリミットスイッチ３０を取り付けることでも可能である。即ち、切換弁２５のハンドル２９を消火薬剤が固定ノズル６の方へ流れる角度位置から放射ノズル２７の方へ流れる角度位置に切り換えるとこのハンドル２９の位置をリミットスイッチ３０が検出し、この検出信号により手動モードに切り換えられてガス発生器１５が作動して容器バルブ４が開放するようにすることができる。また、リミットスイッチ３０による前記ハンドル位置の検出信号により前記手動モードへの切換えと同時に、又は別途に警報装置が作動するように、例えば電子ブザーが鳴動するように構成することもできる。
【００２２】
切換弁２５としては三方弁を使用する以外に、配管７と可撓性ホース２６の分岐部の近傍にそれぞれに個別に開閉弁を設けることもできる。
【００２３】
【発明の効果】
本発明によれば、消火薬剤容器の容器バルブと固定ノズル間の配管の途中に切換弁を介して可撓性ホースを分岐状に接続するという簡単な手段で、防火対象物の火災を火災感知器が感知しなかったときや、防火対象物以外の周囲や近辺で火災が発生したときにも、切換弁を切り換えることで可撓性ホースの放射ノズル部分を持って消火活動を行うことができるという利点がある。
【図面の簡単な説明】
【図１】本発明の一実施例の自動・手動切換え型消火装置の正面扉一部を破断して内部を見た正面図である。
【図２】従来例の自動・手動切換え型消火装置の正面扉一部を破断して内部を見た正面図である。
【図３】図２の自動・手動切換え型消火装置の容器バルブのレバー作動部の拡大断面図である。
【符号の説明】
２　消火薬剤容器
３　火災感知器
４　容器弁
５　バルブ自動起動装置
６　固定ノズル
７　配管
８　手動起動押ボタン
９　バルブ手動起動装置
２５　切換弁
２６　可撓性ホース
２７　手元開閉弁
２８　放射ノズル
３０　リミットスイッチ
【図１】
2004041577.tif 000003
【図２】
2004041577.tif 000004
【図３】
2004041577.tif 000005